(57)【要約】【課題】バックラッシュの除去によって指針の下に重なった指針の針ずれを容易に視認することがこと。【解決手段】操作部３０１と、所定の情報を表示する第１指針３０２と、第１指針３０２を正転および逆転方向に回動可能に駆動する第１駆動部３０３と、第１指針３０２とは異なる情報を表示する表示部（第２指針）３０４と、第１指針３０２とは独立して、表示部３０４を駆動する第２駆動部３０５と、操作部３０１の操作に基づいて、第１指針３０２を基準位置まで移動させるように第１駆動部３０３を駆動する第１駆動制御をおこなうとともに、第１指針３０２を基準位置から表示部３０４による表示内容が確認可能な第１の所定位置まで移動させた後に、正転方向で再び基準位置へ移動させるように第１駆動部３０３を駆動する第２駆動制御をおこなう制御部３０６とを備える。【選択図】図３
2008209259.tif 000002
【特許請求の範囲】
【請求項１】
少なくとも一つの操作部材を有する操作手段と、
所定の情報を表示する第１の指針と、
前記第１の指針を正転および逆転方向に回動可能に駆動する第１の駆動手段と、
前記第１の指針によって表示される所定の情報とは異なる情報を表示する表示手段と、
前記第１の指針とは独立して、前記表示手段を駆動する第２の駆動手段と、
前記操作手段の操作に基づいて、前記第１の指針をあらかじめ定められた基準位置まで移動させるように前記第１の駆動手段を駆動する第１駆動制御をおこなうとともに、前記第１の指針を前記基準位置から前記表示手段による表示内容が確認可能な第１の所定位置まで移動させた後に、正転方向で再び前記基準位置へ移動させるように前記第１の駆動手段を駆動する第２駆動制御をおこなう制御手段と、
を備えたことを特徴とする指針式表示装置。
【請求項２】
前記制御手段は、
前記操作手段による第１の操作に基づいて、前記第１駆動制御をおこない、前記第１の指針を前記基準位置に停止させるように第１の駆動手段を駆動するとともに、
前記操作手段による第２の操作に基づいて、前記第２駆動制御をおこなうことを特徴とする請求項１に記載の指針式表示装置。
【請求項３】
前記表示手段は、少なくとも第２の指針からなり、
前記第２の駆動手段は、前記第２の指針を正転および逆転方向に回動可能に駆動し、
前記制御手段は、前記操作手段による第１の操作に基づいて、前記第２の指針を前記基準位置まで移動させ、前記基準位置に停止させるように第２の駆動手段を駆動することを特徴とする請求項２に記載の指針式表示装置。
【請求項４】
前記第１の所定位置は、前記第１の指針が前記第２の指針の先端部と重ならない位置であることを特徴とする請求項３に記載の指針式表示装置。
【請求項５】
前記制御手段は、前記操作手段による第２の操作に基づいて、前記第２の指針を逆転方向で移動させた後に、正転方向で再び前記基準位置へ移動させるように前記第２の駆動手段を駆動することを特徴とする請求項３または４に記載の指針式表示装置。
【請求項６】
前記制御手段は、前記第１の指針および前記第２の指針を逆転方向で移動させる際に、前記第１の指針を前記第２の指針よりも大きい回動量となるように前記第１の駆動手段および前記第２の駆動手段を駆動することを特徴とする請求項５に記載の指針式表示装置。
【請求項７】
前記制御手段は、正転方向で再び前記基準位置へ移動させる際に、前記第２の指針を前記基準位置へ移動させた後に、前記第１の指針を前記基準位置へ移動させるように前記第１の駆動手段および前記第２の駆動手段を駆動することを特徴とする請求項５または６に記載の指針式表示装置。
【請求項８】
さらに、前記第１の指針と機械的に連動して前記第１の駆動手段によって前記第１の指針とは異なる周期で動作する第３の指針を備え、
前記制御手段による前記第２駆動制御は、前記第１の指針および前記第３の指針を逆転方向で移動させた後に、正転方向で再び前記基準位置へ移動させるように前記第１の駆動手段を駆動する制御であることを特徴とする請求項１〜６のいずれか一つに記載の指針式表示装置。
【発明の詳細な説明】
【技術分野】
【０００１】
この発明は、指針式表示装置に関し、特に、複数の指針を複数の駆動手段で駆動する指針式表示装置に関する。
【背景技術】
【０００２】
従来から、たとえばアナログ腕時計などの指針式表示装置においては、モータなどの駆動装置を用いて、その回転駆動を輪列と呼ばれる歯車群に伝達し、それによって指針を回動させて運針し、時刻などを表示していた。そして、その輪列にはバックラッシュといわれる歯車と歯車との間の隙間（いわゆる遊び）があり、このバックラッシュによって、指針が正確な位置を指し示さない状態（いわゆる針ずれ）をおこす原因となっていた。
【０００３】
このバックラッシュを除去して指針を正確な位置に合わせるためには、指針を正転方向あるいは逆転方向のどちらか定められた方向に定められた量だけ回動させればよい。その回動に連動して輪列の歯車群が回転して歯車間の遊びがなくなり、それによって指針の差し示す位置が正確になる。たとえば、指針を正転方向に回動させてバックラッシュを除去することによって、正転方向における歯車間の遊びがなくなり、指針を逆転方向に駆動させる特別な駆動状態を除き、通常の使用状態で、指針が正確な位置を指し示すようになる。
【０００４】
また、バックラッシュ以外にも、指針軸に対して指針がずれた位置に取り付けられたり、衝撃によって指針軸が回動し、アナログ腕時計が記憶している針位置に対して位置ずれを生じることもあるので、指針の差し示す位置が正確であるか否かは、基準位置からのずれを最終的には目視によって確認する必要がある。
【０００５】
このようなバックラッシュを除去する方法として、指針を１周させるなどの技術が従来から存在した（たとえば、下記特許文献１参照。）。
【０００６】
また、指針式表示装置において、指針が回動することによって他の指針や他の表示部を覆い隠してしまって、他の指針や他の表示部が視認できないことを防止するために、当該指針を移動させる、いわゆる針逃げに関する技術が従来から存在する（たとえば、下記特許文献２、３参照。）。
【０００７】
【特許文献１】実開平２−５２１８９号公報
【特許文献２】特開平６−８２２７２号公報
【特許文献３】実開平５−６３９３号公報
【発明の開示】
【発明が解決しようとする課題】
【０００８】
しかしながら、従来の方法では、複数の指針があってそれらの複数の指針についてそれぞれバックラッシュを除去する場合に、同じ規準位置に複数の指針が移動するように構成すると、指針がその位置を正確に指し示しているか目視する際に、他の指針が覆い被さってしまうことによって、正確な目視ができない場合があった。
【０００９】
また、バックラッシュを除去する際に指針を移動する基準位置付近に表示部を配置してしまうと、バックラッシュの除去にともなって、基準位置に移動した指針の下側にある表示部が視認できなくなり、それによって、情報を正確に認識できなくなる場合があるという問題点があった。クロノグラフなどの多指針式の表示装置では、特に問題となる。
【００１０】
この発明は、上述した従来技術による問題点を解消するため、バックラッシュの除去を効率的かつ確実におこなうことができる指針式表示装置を提供することを目的とする。
【課題を解決するための手段】
【００１１】
上述した課題を解決し、目的を達成するため、この発明にかかる指針式表示装置は、少なくとも一つの操作部材を有する操作手段と、所定の情報を表示する第１の指針と、前記第１の指針を正転および逆転方向に回動可能に駆動する第１の駆動手段と、前記第１の指針によって表示される所定の情報とは異なる情報を表示する表示手段と、前記第１の指針とは独立して、前記表示手段を駆動する第２の駆動手段と、前記操作手段の操作に基づいて、前記第１の指針をあらかじめ定められた基準位置まで移動させるように前記第１の駆動手段を駆動する第１駆動制御をおこなうとともに、前記第１の指針を前記基準位置から前記表示手段による表示内容が確認可能な第１の所定位置まで移動させた後に、正転方向で再び前記基準位置へ移動させるように前記第１の駆動手段を駆動する第２駆動制御をおこなう制御手段と、を備えたことを特徴とする。
【００１２】
また、この発明にかかる指針式表示装置は、上記発明において、前記制御手段が、前記操作手段による第１の操作に基づいて、前記第１駆動制御をおこない、前記第１の指針を前記基準位置に停止させるように第１の駆動手段を駆動するとともに、前記操作手段による第２の操作に基づいて、前記第２駆動制御をおこなうことを特徴とする。
【００１３】
また、この発明にかかる指針式表示装置は、上記発明において、前記表示手段が、少なくとも第２の指針からなり、前記第２の駆動手段が、前記第２の指針を正転および逆転方向に回動可能に駆動し、前記制御手段が、前記操作手段による第１の操作に基づいて、前記第２の指針を前記基準位置まで移動させ、前記基準位置に停止させるように第２の駆動手段を駆動することを特徴とする。
【００１４】
また、この発明にかかる指針式表示装置は、上記発明において、前記第１の所定位置が、前記第１の指針が前記第２の指針の先端部と重ならない位置であることを特徴とする。
【００１５】
また、この発明にかかる指針式表示装置は、上記発明において、前記制御手段が、前記操作手段による第２の操作に基づいて、前記第２の指針を逆転方向で移動させた後に、正転方向で再び前記基準位置へ移動させるように前記第２の駆動手段を駆動することを特徴とする。
【００１６】
また、この発明にかかる指針式表示装置は、上記発明において、前記制御手段が、前記第１の指針および前記第２の指針を逆転方向で移動させる際に、前記第１の指針を前記第２の指針よりも大きい回動量となるように前記第１の駆動手段および前記第２の駆動手段を駆動することを特徴とする。
【００１７】
また、この発明にかかる指針式表示装置は、上記発明において、前記制御手段が、正転方向で再び前記基準位置へ移動させる際に、前記第２の指針を前記基準位置へ移動させた後に、前記第１の指針を前記基準位置へ移動させるように前記第１の駆動手段および前記第２の駆動手段を駆動することを特徴とする。
【００１８】
また、この発明にかかる指針式表示装置は、上記発明において、さらに、前記第１の指針と機械的に連動して前記第１の駆動手段によって前記第１の指針とは異なる周期で動作する第３の指針を備え、前記制御手段による前記第２駆動制御が、前記第１の指針および前記第３の指針を逆転方向で移動させた後に、正転方向で再び前記基準位置へ移動させるように前記第１の駆動手段を駆動する制御であることを特徴とする。
【発明の効果】
【００１９】
本発明によれば、バックラッシュの除去によって指針の下に重なっていた表示手段を容易に視認することができ、バックラッシュの除去と表示手段の視認を効率的にかつ確実にすることができる指針式表示装置が得られるという効果を奏する。
【発明を実施するための最良の形態】
【００２０】
以下に添付図面を参照して、この発明による指針式表示装置の実施の形態を詳細に説明する。
【００２１】
（指針式表示装置の外観）
図１は、この発明の実施の形態にかかる指針式表示装置の外観の一例を示す説明図である。図１において、指針式表示装置は、本体１００と、本体１００をたとえば腕に装着するための図示を省略するバンドとから構成される、腕時計型の指針式表示装置（クロノグラフ）である。また、本体１００の外周には、りゅうず１１５および複数の操作ボタン１１６，１１７を備えている。
【００２２】
本体１００の表示部分には、通常時刻を示す通常指針（分針１０１、時針１０２、秒針１０３）と、複数のアナログ計（ＵＴＣ計１０４、２４時間計１０７、充電・局選択表示計１０９）と、モード表示部１１１と、電気光学的に情報を表示するデジタル表示部（第１デジタル表示部１１３、第２デジタル表示部１１４）とを備える。
【００２３】
通常指針は、秒針１０３が秒周期で回転、すなわち６０秒で１回転（１周）する。分針１０１が分周期で回転、すなわち６０分で１回転（１周）する。時針１０２が時周期で回転、すなわち１２時間で１回転（１周）する。これらの指針（秒針１０３、分針１０１、時針１０２）によって通常時刻を表示する。
【００２４】
ＵＴＣ計１０４は、ＵＴＣ分針１０５およびＵＴＣ時針１０６とを備え、ＵＴＣ（Ｃｏｏｒｄｉｎａｔｅｄ  Ｕｎｉｖｅｒｓａｌ  Ｔｉｍｅ（協定世界時））を表示する。ＵＴＣ計１０４は、図１にあっては、１２時付近の位置に設けている。ＵＴＣ分針１０５が６０分で１回転（１周）することによって「分」を示し、ＵＴＣ時針１０６が２４時間で１回転（１周）することによって「時（２４時間制）」を示す。
【００２５】
また、２４時間計１０７は、２４時間針（２４Ｈ針）１０８を備え、２４時間針１０８が２４時間で１回転（１周）することによって、通常時刻を２４時間制で表示する。２４時間計１０７によって、現時刻が午前なのか午後なのか（２４時間針１０８が右側にあれば「午前（ＡＭ）」であり、左側にあれば「午後（ＰＭ）」であること）が一目でわかる。
【００２６】
充電・局選択表示計１０９は、充電・局選択針１１０を備えている。充電・局選択針１１０は充電残量表示（上側）と、局選択（米国、独国、日本）表示（下側）とを兼ねており、切り換えによって双方を表示する。充電・局選択表示計１０９は、図１にあっては、１０時付近の位置に設けている。
【００２７】
モード表示部１１１は、モード針１１２を備えている。モード表示部１１１は、現在表示している状態が、モード針１１２が指し示す各種機能（モード）の状態であることを指し示す。モード表示部１１１は、図１にあっては、６時付近の位置に設けている。また、図１にあっては、モード表示部１１１は、「時刻（ＴＭＥ）」を示している。さらに、操作者がモード針１１２をりゅうず１１５などを用いて手動で回転させることによって、モード針１１２が指し示す各種機能（カレンダー、タイマ、ストップウォッチ、アラームなど）の切り換えを実行することができる。
【００２８】
第１デジタル表示部１１３は、任意都市を表示する表示部であり、図１にあっては、任意都市として「東京（ＴＹＯ）」と、その時刻「２３時０９分３５秒」を示している。第１デジタル表示部１１３は、図１にあっては、３時〜４時付近の位置に設けている。また、第２デジタル表示部１１４は、ホーム都市、すなわち通常針が表示している時刻の都市として「ニューヨーク（ＮＹＣ）」を示している。第２デジタル表示部１１４は、図１にあっては、９時付近の位置に設けている。第１デジタル表示部１１３に示した任意都市、第２デジタル表示部１１４に示したホーム都市は、それぞれ、りゅうず１１５、操作ボタン１１６，１１７によって任意に変更することができる。
【００２９】
（指針式表示装置の構成）
図２は、この発明の実施の形態にかかる指針式表示装置のハードウエア構成を示す説明図である。図２において、指針式表示装置本体１００には、マイコンＩＣ２００と、ＲＡＭ２０１と、ＲＯＭ２０２と、モータ駆動回路２０３と、モータ２０４（２０４ａ、２０４ｂ、２０４ｃ、２０４ｄ）と、輪列２０５（２０５ａ、２０５ｂ、２０５ｃ、２０５ｄ）と、基準信号発生部２０６と、カウンタ部２０７と、アンテナ２０８と、同調部２０９と、受信部２１０と、スイッチ部２１１と、スイッチ制御回路２１２と、ソーラセル２１３と、二次電池２１４と、充電制御回路２１５と、液晶駆動回路２１６と、ＬＥＤ２１７と、ＬＥＤ駆動回路２１８と、アラーム２１９と、アラーム駆動回路２２０と、を備える。
【００３０】
マイコンＩＣ２００は、指針式表示装置本体１００の全体を制御するほか、各種の構成部、回路を個別に演算制御する。ＲＡＭ２０１は、時刻情報あるいはカレンダー情報を含む計時データなどの各種データを記憶している。また、ＲＯＭ２０２は、各種の制御プログラムを記憶している。
【００３１】
モータ駆動回路２０３は、独立した４つのモータ２０４（２０４ａ、２０４ｂ、２０４ｃ、２０４ｄ）を駆動し、輪列２０５（２０５ａ、２０５ｂ、２０５ｃ、２０５ｄ）を介して、それぞれの指針を別個独立に駆動する。
【００３２】
４つのモータ２０４のうち、一つめのモータ２０４ａは、図１に示した分針１０１および秒針１０３を駆動する。２つめのモータ２０４ｂは、図１に示した時針１０２および２４時間計１０７の２４時間針１０８を連動させて駆動する。３つめのモータ２０４ｃは、図１に示したＵＴＣ計１０４のＵＴＣ分針１０５およびＵＴＣ時針１０６を連動させて駆動する。４つめのモータ２０４ｄは、充電・局選択表示部１０９の充電・局選択針１１０を駆動する。モード表示部１１１のモード針１１２は、モータ駆動することなく、りゅうず１１５を手動で回転させ、りゅうずと連動した歯車によって駆動される。
【００３３】
基準信号発生部２０６は、たとえば発振回路から構成され、計時処理の基準となる所定の周波数を有する信号を発生する。また、カウンタ部２０７は、基準信号発生部２０６から発生される所定の周波数を有する信号をマイコンＩＣ２００に対して出力する。
【００３４】
同調部２０９は、アンテナ２０８と同調をとり、たとえばコンデンサの容量を切り換えるなどによって、４０ｋＨｚ、６０ｋＨｚなどの周波数にアンテナ２０８を同調する。また、受信部２１０は、図示を省略する、アンテナ２０８によって受信した信号を増幅する増幅部と、所望の周波数（４０ｋＨｚ、６０ｋＨｚ）以外を除去するフィルタ部と、受信した標準電波を検波する検波部と、検波出力をデジタル出力に変換するＡＤ変換部と、増幅率を自動調整するゲインコントロール部などから構成される。
【００３５】
スイッチ部２１１は、操作者の操作指示を入力する。具体的には、図１に示したりゅうず１１５、操作ボタン１１６，１１７などによって構成される。スイッチ部制御回路２１２は、スイッチ部２１１からの信号に基づいて、操作者からの操作指示に関する入力をマイコンＩＣ２００に送信する。
【００３６】
充電制御回路２１５は、ソーラセル２１３によって受光された光を電力に変換し、二次電池２１４に蓄積する。また、充電制御回路２１５は、二次電池２１４の電圧（値）を検出する電圧検出機能、ソーラセル２１３が発電状態か非発電状態かを検出する発電検出機能などを備える。そして、これらの機能によって検出結果に関する信号をマイコンＩＣ２００に対して出力する。この信号に基づいて、充電・局選択表示計１０９における充電残量の表示をおこなう。
【００３７】
液晶駆動回路２１６は、第１デジタル表示部１１３、第２デジタル表示部１１４を駆動して各種情報を表示させる。また、ＬＥＤ駆動回路２１８は、ＬＥＤ２１７を駆動してバックライトとしてデジタル表示部１１３，１１４を照明したり、警告光を出力したりする。ＬＥＤ２１７の代わりに、ＥＬ（Ｅｌｅｃｔｒｏｌｕｍｉｎｅｓｃｅｎｃｅ）、ランプなどを用いてもよい。
【００３８】
アラーム駆動回路２２０は、アラーム２１９が搭載する図示を省略する圧電素子を駆動して、アラーム（ブザー）を出力する。その際、アラーム駆動回路２２０は、告知の種類によって、音の種類、高さ、音量などを変えて出力する。
【００３９】
図３は、この発明の実施の形態にかかる指針式表示装置の機能的構成を示す説明図である。図３において、操作部３０１と、第１指針３０２と、第１駆動部３０３と、表示部（第２指針）３０４と、第２駆動部３０５と、制御部３０６と、駆動情報記憶部３０７と、第３指針３０８と、を含む構成となっている。
【００４０】
操作部３０１は、少なくとも一つの操作部材を有する。ここで、操作部材は、たとえば図２に示したスイッチ部２１１によってその機能を実現する。操作部材は、より具体的には、たとえば図１に示したりゅうず１１５および複数の操作ボタン１１６，１１７などである。
【００４１】
第１指針３０２は、所定の情報を表示する。第１指針３０２は、具体的には、たとえば図１に示した分針１０１などであってよい。ただし、分針１０１に限定されるものではない。第１駆動部３０３は、第１指針３０２を正転および逆転方向に回動可能に駆動する。第１駆動部３０３は、具体的には、たとえば図２に示したモータ駆動回路２０３、モータ２０４ａ、輪列２０５ａによってその機能を実現する。
【００４２】
表示部３０４は、第１指針３０２によって表示される所定の情報とは異なる情報を表示する。表示部３０４は、具体的には、たとえば図１に示す時針１０２やＵＴＣ分針１０５、ＵＴＣ時針１０６などの第２指針であってもよい。ただし表示部３０４は、時針１０２やＵＴＣ分針１０５、ＵＴＣ時針１０６に限定されるものではない。したがって、第１指針３０２によって表示される所定の情報とは異なる情報を表示するものであれば、指針によって情報を表示するものだけでなく、たとえばデジタル表示（より具体的には、たとえば図１に示した第１デジタル表示部１１３、第２デジタル表示部１１４、図２に示したＬＥＤ２１７など）によって情報を表示するものであってもよい。
【００４３】
第２駆動部３０５は、第１指針３０２とは独立して、表示部３０４を駆動する。第２駆動部３０５は、具体的には、たとえば図２に示したモータ駆動回路２０３と、モータ２０４ｂ、輪列２０５ｂや、モータ駆動回路２０３と、モータ２０４ｃ、輪列２０５ｃとによってその機能を実現してもよく、また、図２に示した液晶駆動回路２１６、ＬＥＤ駆動回路２１８などによってその機能を実現してもよい。
【００４４】
制御部３０６は、第１駆動制御と第２駆動制御をおこなう。第１駆動制御では、操作手段の操作に基づいて、第１指針３０２をあらかじめ定められた基準位置まで移動させるように第１駆動部３０３を駆動する。上記基準位置とは、具体的には、たとえば１２時の位置である。バックラッシュが除去されたかを確認するためには１２時の位置が最適である。ただし、この位置に限定されるものではなく、他の位置であってもよい。また、上記基準位置までの移動は、正転方向、逆転方向のいずれでもよい。
【００４５】
そして第２駆動制御では、第１指針３０２を上記基準位置から表示部３０４による表示内容が確認可能な第１の所定位置まで移動させた後に、正転方向で再び上記基準位置へ移動させるように第１駆動部３０３を駆動する。上記第１の所定位置から上記基準位置までは、第１指針３０２を正転方向へ移動させる。これによって、バックラッシュを除去する（バックラッシュによる指針のずれを修正する）ことができる。
【００４６】
上記第１の所定位置は、上記基準位置から表示部３０４による表示内容が確認可能な位置であればよいので、具体的には、第１指針３０２によって表示部３０４の表示内容が確認できれば、第１指針３０２によって表示部３０４の表示内容が完全に重ならない位置である必要はない。したがって、表示部３０４の一部が第１指針３０２によって重なっていても、表示部３０４の表示内容が確認できる場合には、その位置を上記第１の所定位置としてもよい。
【００４７】
たとえば、上記基準位置を１２時の位置とし、表示部３０４をＵＴＣ計１０４とした場合に、第１の所定位置はＵＴＣ計１０４の全体が完全に確認できる位置である１０時の位置であってもよい（後述する図６を参照）。またこの場合に、ＵＴＣ分針１０５、ＵＴＣ時針１０６も上記基準位置である１２の位置に移動していることを考慮すれば、ＵＴＣ分針１０５、ＵＴＣ時針１０６の位置（いずれも１２時の位置）を確認できればよい。したがって、この場合は、上記第１の所定位置を１１時の位置付近としてもよい。
【００４８】
上記第１の所定位置までの移動は、正転方向、逆転方向のいずれでもよい。したがって、正転方向で移動させた場合は、その後、正転方向で再び上記基準位置へ移動させるので、結果として、上記基準位置から第１指針３０２の移動を開始させ、上記第１の所定位置を通過して再び上記基準位置まで戻る（すなわち１周する）ことになる。一方、逆転方向で移動させた場合は、上記基準位置から逆転方向で第１指針３０２の移動を開始させ、上記第１の所定位置で第１指針３０２を停止させて、その後、正転方向で上記基準位置まで戻ることになる。
【００４９】
駆動情報記憶部３０７は、上記第１駆動制御および第２駆動制御の制御情報を記憶する。駆動情報記憶部３０７は、具体的には、たとえば、図２に示したＲＡＭ２０１，ＲＯＭ２０２によってその機能を実現する。そして、制御部３０６は、具体的には、たとえば図２に示したマイコンＩＣ２００がこの駆動情報記憶部３０７（ＲＡＭ２０１、ＲＯＭ２０２）に記憶されたプログラムを実行することによってその機能を実現する。
【００５０】
また、制御部３０６は、操作部３０１による第１の操作に基づいて、上記第１駆動制御をおこない、第１指針３０２を上記基準位置に停止させるように第１駆動部３０３を駆動するようにしてもよい。そして、操作部３０１による第２の操作に基づいて、上記第２駆動制御をおこなうようにしてもよい。すなわち、上述のように、一つの操作で第１指針３０２を上記基準位置へ移動させ、引き続き上記第１の所定位置へ移動させ、再び上記基準位置へ移動させるのではなく、第１指針３０２を上記基準位置へ移動させるのと、引き続き上記第１の所定位置へ移動させ、再び上記基準位置を移動させるのとを別々の操作でおこなわせるものである。
【００５１】
第１の操作とは、具体的には、たとえば図１に示したりゅうず１１５を外側に引き出す操作などである。また、第２の操作とは、具体的には、たとえば図１に示した操作ボタン１１６，１１７のいずれかを押下する操作である。このように、操作を２段階にすることによって、より確実に針合わせの確認操作をおこなわしめることができる。
【００５２】
またその際、表示部３０４が少なくとも指針（第２指針、図１に示した時針１０２やＵＴＣ分針１０５、ＵＴＣ時針１０６）からなっていてもよい。その場合に、第２駆動部３０５が、第２指針３０４を正転および逆転方向に回動可能に駆動させる。そして制御部３０６が、操作部３０１による第１の操作に基づいて、第２指針３０４を正転または逆転によって上記基準位置まで移動させ、前記基準位置に停止させるように第２駆動部３０５を駆動するようにしてもよい。
【００５３】
表示部３０４がである場合は、第２駆動部３０５は、図２に示したモータ駆動回路２０３と、モータ２０４ｂ、輪列２０５ｂや、モータ駆動回路２０３と、モータ２０４ｃ、輪列２０５ｃとによってその機能を実現することができる。
【００５４】
そして表示部３０４が第２指針である場合は、上記第１の所定位置は、第１指針３０２が第２指針３０４の先端部と重ならない位置であってもよい。通常、第１指針３０２である分針１０１の方が、第２指針である時針１０２よりも長く、両指針が重なった場合には、第１指針３０２が３０４を覆い隠すようなっている。
【００５５】
また、第１指針３０２である分針１０１が、第２指針であるＵＴＣ分針１０５およびＵＴＣ時針１０６も覆い隠すようになっている。このように、第１指針３０２によって、第２指針３０４の先端部が視認できなくなる。そこで、先端部が重ならない位置とは、たとえば、両指針が完全に重なる位置（たとえば１２時の位置）から第１指針３０２を回動させて第２指針３０４の先端部分が見える位置であればよい。
【００５６】
より具体的には、各指針の長さや形状にもよるが、第１指針３０２を１〜２°程度移動させた位置であればよい。したがって、第２指針３０４全体が完全に視認できる位置でなくてもよい。
【００５７】
また制御部３０６は、操作部３０１による第２の操作に基づいて、第２指針３０４を逆転方向で第２の所定位置まで移動させた後に、正転方向で再び上記基準位置へ移動させるように第２駆動部３０５を駆動するようにしてもよい。これによって、短時間にかつ少ない駆動量で針合わせをおこなうことができる。
【００５８】
そして制御部３０６は、第１指針３０２および第２指針３０４を逆転方向で移動させる際に、第１指針３０２を第２指針３０４よりも大きい回動量となるように第１駆動部３０３および第２駆動部３０５を駆動するようにしてもよい。このようにすることで、上記基準位置で重なった第２指針３０４を確実に視認することができるようになる。
【００５９】
また、制御部３０６は、正転方向で再び上記基準位置へ移動させる際に、第２指針３０４を上記基準位置へ移動させた後に、第１指針３０２を上記基準位置へ移動させるように第１駆動部３０３および第２駆動部３０５を駆動するようにしてもよい。このように、まず、第２指針３０４を駆動して、その駆動が停止した後に、第１指針３０２を駆動するようにすることで、２つのモータ（モータ２０４ａ、２０４ｂ）を同時に駆動することによって大きな駆動電力が発生してしまうことをできるだけ避けることができる。また、各指針が時差を持って動くので、各指針が同時に動く場合よりも、各指針の針合わせがおこなわれたことをより確実に視認することができる。
【００６０】
第３指針３０８は、第１指針３０２と機械的に連動して第１駆動部３０３によって第１指針３０２とは異なる周期で動作する。第３指針３０８は、具体的には、たとえば図１に示した秒針１０３などであってよい。上述のように、秒針１０３は分針１０１と機械的に連動して第１駆動部３０３である同一のモータ（モータ２０４ａ）によって回転駆動する。ただし、第３指針３０８は秒針１０３に限定されるものではない。
【００６１】
そして、制御部３０６による上記第２駆動制御は、第１指針３０２および第３指針３０８を逆転方向で移動させた後に、正転方向で再び上記基準位置へ移動させるように第１駆動部３０３を駆動する制御であってもよい。このようにすることで、一つの駆動部（第１駆動部３０３）を用いてより簡単に複数の指針を同時に針合わせをおこなうことができる。さらに、複数の第２指針（時針１０２、ＵＴＣ分針１０５及びＵＴＣ時針１０６）を、複数のモータで駆動する場合には、複数の第２指針も各モータ毎に時差を持って動かすようにしてもよい。
【００６２】
（指針式表示装置の動作内容）
つぎに、指針式表示装置の動作内容の一例について説明する。図４は、この発明の実施の形態にかかる指針式表示装置の動作の内容を示すフローチャートであり、図５、図６は、この発明の実施の形態にかかる指針式表示装置の表示の内容を示す説明図である。なお、図５、図６では、説明の都合上、時針１０２、２４時間針１０７、充電・局選択針１１０の表示は省略する。
【００６３】
図４のフローチャートにおいて、まず、バックラッシュ除去（針合わせ）の所定の操作（たとえばりゅうず１１５を引くなど）が操作者によってなされたか否かを判断する（ステップＳ４０１）。ここで、当該操作があるのを待って、当該操作があった場合（ステップＳ４０１：Ｙｅｓ）は、第１駆動部３０３は、あらかじめ定められた回動量だけ所定方向に回動駆動することによって、第１指針３０２を基準位置へ移動させる（ステップＳ４０２）。そして、第１指針３０２が基準位置に達したか否かを判断する（ステップＳ４０３）。図５は、第１指針３０２、すなわち分針１０１が基準位置である１２時の位置に移動した状態を示している。
【００６４】
そして、第１指針３０２が基準位置に達するまで移動を続け、達した場合（ステップＳ４０３：Ｙｅｓ）は、引き続き、第１駆動部３０３は、あらかじめ定められた回動量だけ所定方向に回動駆動することによって、第１指針３０２を第１の所定位置へ移動させる（ステップＳ４０４）。そして、第１指針３０２が第１の所定位置に達したか否かを判断する（ステップＳ４０５）。図６は、第１指針３０２、すなわち分針１０１が第１の所定位置である１０時付近の位置に移動した状態を示している。
【００６５】
つぎに、第１指針３０２が第１の所定位置に達するまで移動を続け、達した場合（ステップＳ４０５：Ｙｅｓ）は、今度は第１駆動部３０３は、あらかじめ定められた回動量だけ正回転方向に回動駆動することによって、第１指針３０２を上記基準位置へ正転で移動させる（ステップＳ４０６）。そして、第１指針３０２が基準位置に達したか否かを判断する（ステップＳ４０７）。
【００６６】
そして、第１指針３０２が基準位置に達するまで移動を続け、達した場合（ステップＳ４０７：Ｙｅｓ）は、第１駆動部３０３は、第１指針３０２を基準位置に停止させる（ステップＳ４０８）ことで、図５に示した状態の再び戻り、これによって、一連の処理を終了する。その後、操作者の所定の操作（たとえば引かれた状態のりゅうず１１５を元の状態に戻すなど）によって、図５に示した状態から、第１指針３０２が正転方向に駆動される通常の時刻表示の状態に戻る。
【００６７】
なお、図５では、第１の所定位置として、ＵＴＣ計１０４全体が完全に見える位置、すなわち１０時の位置として、当該位置まで分針１０１を移動させたが、ＵＴＣ分針１０５、ＵＴＣ時針１０６も同様にバックラッシュ除去をおこなうために、基準位置（１２時の位置）にある場合は、１０時の位置ではなく、１１時〜１１時と１２時の間付近の位置を第１の所定位置としてもよい。
【００６８】
また、基準位置に停止する第１指針３０２と指針式のＵＴＣ計１０４とが重なった例を示したが、これに限らず、基準位置に停止する第１指針３０２と、液晶表示装置やカレンダー表示窓の下の日車とが重なっている場合も同様に、第１指針のバックラッシュを除去している間に、その下に覆い隠されていた液晶表示装置やカレンダー表示窓の下の日車を視認できるようにしてもよい。
【００６９】
図７は、この発明の実施の形態にかかる指針式表示装置の別の動作の内容を示すフローチャートである。図７のフローチャートにおいて、まず、バックラッシュ除去（針合わせ）の所定の操作（第１の操作（たとえばりゅうず１１５を引くなど））が操作者によってなされたか否かを判断する（ステップＳ７０１）。ここで、当該操作があるのを待って、当該操作があった場合（ステップＳ７０１：Ｙｅｓ）は、第１駆動部３０３は、あらかじめ定められた回動量だけ所定方向に回動駆動することによって、第１指針３０２を基準位置へ移動させる（ステップＳ７０２）。そして、第１指針３０２が基準位置に達したか否かを判断する（ステップＳ７０３）。
【００７０】
つぎに、第１指針３０２が基準位置に達するまで移動を続け、達した場合（ステップＳ７０３：Ｙｅｓ）は、第１駆動部３０３は、第１指針３０２を基準位置に停止させる（ステップＳ７０４）。これによって、図５に示したように、第１指針３０２、すなわち分針１０１を基準位置である１２時の位置に移動した状態で停止する。
【００７１】
その後、操作者からの所定の操作（第２の操作（たとえば操作ボタン１１６，１１７のいずれかを押下するなど）が操作者によってなされたか否かを判断する（ステップＳ７０５）。ここで、当該第２の操作がなされるのを待って、当該第２の操作がなされた場合（ステップＳ７０５：Ｙｅｓ）は、図４のフローチャートのステップＳ４０４へ移行する。以降は、図４に示したフローチャートの処理と同様なので、その説明は省略する。
【００７２】
図８、図１１は、この発明の実施の形態にかかる指針式表示装置の別の動作の内容を示すフローチャートである。また、図９、図１０−１〜図１０−３、図１２〜図１４は、この発明の実施の形態にかかる指針式表示装置の表示の内容を示す説明図である。なお、図９、図１０−１〜図１０−３、図１２〜図１４では、説明の都合上、秒針１０３、充電・局選択針１１０の表示は省略する。また、この実施の形態における動作の一部が、前述の実施の形態における図４および図７の動作と共通するので、図４および図７のフローチャートも用いて説明する。
【００７３】
図７のフローチャートにおいて、まず、バックラッシュ除去（針合わせ）の所定の操作（第１の操作（たとえばりゅうず１１５を引くなど））が操作者によってなされたか否かを判断する（ステップＳ７０１）。そして、ステップＳ７０４までの動作をおこない、図９に示す通常の状態から、第１指針３０２、すなわち分針１０１を基準位置へ移動して停止させる。この状態を図１０−１に示す。
【００７４】
つぎに、図１０−１の状態から、第２駆動部３０５におけるモータ２０４ｂが、あらかじめ定められた回動量だけ所定方向に回動駆動することによって、第２指針３０４のうちの時針１０２を基準位置へ移動させる（ステップＳ８０２）。この場合、時針１０２と連動する２４時間針１０８も針位置合わせをおこなうため、時針１０２だけでなく、２４時間針１０８も基準位置に移動させる。そして、時針１０２が基準位置に達したか否かを判断する（ステップＳ８０３）。
【００７５】
そして、時針１０２が基準位置に達するまで移動を続け、達した場合（ステップＳ８０３：Ｙｅｓ）は、第２駆動部３０５は、時針１０２を基準位置に停止させる（ステップＳ８０４）。これによって、第２指針３０４のうちの時針１０２を基準位置である１２時の位置に移動した状態で停止する。この状態を図１０−２に示す。
【００７６】
つぎに、第２駆動部３０５におけるモータ２０４ｃが、あらかじめ定められた回動量だけ所定方向に回動駆動することによって、第２指針３０４のうちのＵＴＣ分針１０５、ＵＴＣ時針１０６を基準位置へ移動させる（ステップＳ８０５）。そして、ＵＴＣ分針１０５、ＵＴＣ時針１０６が基準位置に達したか否かを判断する（ステップＳ８０６）。
【００７７】
そして、ＵＴＣ分針１０５、ＵＴＣ時針１０６が基準位置に達するまで移動を続け、達した場合（ステップＳ８０６：Ｙｅｓ）は、第２駆動部３０５は、ＵＴＣ分針１０５、ＵＴＣ時針１０６を基準位置に停止させる（ステップＳ８０７）。これによって、第２指針３０４のうちのＵＴＣ分針１０５、ＵＴＣ時針１０６を基準位置である１２時の位置に移動した状態で停止する。この状態を図１０−３に示す。
【００７８】
すなわち、図１２は、分針１０１、時針１０２、ＵＴＣ分針１０５、ＵＴＣ時針１０６、２４時間針１０８のすべての指針（秒針１０３、充電・局選択針１１０は表示を省略）が基準位置（１２時の位置）で停止している状態を示している。
【００７９】
そして、図８のフローチャートのステップＳ８０７に引き続き、図１１のフローチャートにおいて、まず、操作者からの所定の操作（第２の操作（たとえば操作ボタン１１６，１１７のいずれかを押下するなど）が操作者によってなされたか否かを判断する（ステップＳ１１０１）。ここで、当該第２の操作がなされるのを待って、当該第２の操作がなされた場合（ステップＳ１１０１：Ｙｅｓ）は、第２駆動部３０５は、あらかじめ定められた回動量だけ逆転方向に回動駆動することによって、第２指針３０４のうちのＵＴＣ分針１０５、ＵＴＣ時針１０６を逆回転方向へ移動させる（ステップＳ１１０２）。そして、モータ２０４ｃが所定量だけ回動したか否かを判断する（ステップＳ１１０３）。
【００８０】
図１２は、第２指針であるＵＴＣ分針１０５、ＵＴＣ時針１０６を駆動するモータ２０４ｃが所定量だけ回動して、ＵＴＣ分針１０５、ＵＴＣ時針１０６が移動した状態を示している。ＵＴＣ時針１０６のバックラッシュを除去するために最低限移動するように、ＵＴＣ分針１０５は、ＵＴＣ時針１０６よりも多く移動する。
【００８１】
つぎに、第２指針３０４が所定量回動するのを待って、所定量回動した場合（ステップＳ１１０３：Ｙｅｓ）は、今度はモータ２０４ｃは、あらかじめ定められた回動量だけ正回転方向に回動駆動することによって、第２指針３０４を上記基準位置へ移動させる（ステップＳ１１０４）。そして、第２指針３０４が基準位置に達したか否かを判断する（ステップＳ１１０５）。
【００８２】
そして、第２指針３０２が基準位置に達するまで移動を続け、達した場合（ステップＳ１１０５：Ｙｅｓ）は第２指針３０２を基準位置に停止させ、第２駆動部３０５におけるモータ２０４ｂは、あらかじめ定められた回動量だけ逆転方向に回動駆動することによって、第２指針３０４のうちの時針１０２を逆回転方向へ移動させる（ステップＳ１１０６）。そして、時針１０２が所定量だけ回動したか否かを判断する（ステップＳ１１０７）。図１３は、第２指針のうちの時針１０２を駆動するモータ２０４ｂが所定量だけ回動して、時針１０２と、これと連動する２４時間針１０８が移動した状態を示している。
【００８３】
つぎに、時針１０２が所定量回動するのを待って、所定量回動した場合（ステップＳ１１０７：Ｙｅｓ）は、今度はモータ２０４ｂは、あらかじめ定められた回動量だけ正回転方向に回動駆動することによって、時針１０２を上記基準位置へ移動させる（ステップＳ１１０８）。そして、時針１０２が基準位置に達したか否かを判断する（ステップＳ１１０９）。そして、時針１０２が基準位置に達するまで移動を続け、達した場合（ステップＳ１１０９：Ｙｅｓ）は時針１０２を基準位置に停止させ、図４のフローチャートのステップＳ４０４へ移行し、第１指針３０２について同様の動作をおこなう。
【００８４】
以降は、図４のフローチャートと同様なので、説明は省略する。図１４は、第１指針３０２である分針１０１が、第１の所定位置に到達した状態（ステップＳ４０５参照）を示しており、この状態で、第２指針３０４である時針１０２、ＵＴＣ分針１０５、ＵＴＣ時針１０６はすでに基準位置に戻っているので、分針１０１と重なることなく、針ずれがないかを確実に視認することができる。
【００８５】
秒針１０３を省略して説明したが、秒針１０３が、第２指針の上に重なっても第２指針の視認を実質的に妨げない程度に細ければ、例えば、図１４のように第１指針３０２が第１の所定位置に移動したときに、秒針１０３が基準位置に移動して第２指針の上に重なっていてもよい。また、秒針１０３が、第２指針の視認の妨げになる場合は、図１４のように第１指針３０２が第１の所定位置に移動したときに、秒針１０３を第２指針の上に重ならない位置に移動するようにしてもよい。
【００８６】
以上説明したように、本実施の形態では、少なくとも一つの操作部材を有する操作部３０１と、所定の情報を表示する第１指針３０２と、第１指針３０２を正転および逆転方向に回動可能に駆動する第１駆動部３０３と、第１指針３０２によって表示される所定の情報とは異なる情報を表示する表示部（第２指針）３０４と、第１指針３０２とは独立して、表示部３０４を駆動する第２駆動部３０５と、操作部３０１の操作に基づいて、第１指針３０２をあらかじめ定められた基準位置まで移動させるように第１駆動部３０３を駆動する第１駆動制御をおこなうとともに、第１指針３０２を基準位置から表示部３０４による表示内容が確認可能な第１の所定位置まで移動させた後に、正転方向で再び基準位置へ移動させるように第１駆動部３０３を駆動する第２駆動制御をおこなう制御部３０６と、を備えている。
【００８７】
そのため、第１指針３０２のバックラッシュを除去する第２駆動制御をおこなうと、第１指針３０２が所定の退避位置まで退避するので、第１指針３０２の下側にある表示部３０４の表示内容が第１指針３０２に邪魔されることなく容易にかつ確実に確認することができる。また、第１指針３０２が基準位置に戻る際に第１指針３０２のバックラッシュが除去されるので、第１指針３０２が基準位置に対してずれていないか否かを正確に確認することができる。
【００８８】
また、本実施の形態では、表示部３０４が、少なくとも第２指針３０４からなり、第２駆動部３０５が第２指針３０４を正転および逆転方向に回動可能に駆動し、制御部３０６が、操作部３０１による第１の操作に基づいて、第２指針３０４を基準位置まで移動させ、基準位置に停止させるように第２駆動部３０５を駆動し、その際、第１の所定位置は、第１指針３０２が第２指針３０４の先端部と重ならない位置とすることができる。
【００８９】
また、制御部３０６は、操作部３０１による第２の操作に基づいて、第２指針３０４を逆転方向で移動させた後に、正転方向で再び基準位置へ移動させるように第２駆動部３０５を駆動することができる。
【００９０】
また、制御部３０６は、第１指針３０２および第２指針３０４を逆転方向で移動させる際に、第１指針３０２を第２指針３０４よりも大きい回動量となるように第１駆動部３０３および第２駆動部３０５を駆動することができる。第１指針３０４と第２指針３０４を同時に逆転方向で移動させて再び基準位置に戻す場合には、第１指針３０４の回動量を大きくすることによって、先に第２指針３０４を基準位置に戻して、第１指針３０４が再び基準位置に戻るまでの間に第２指針３０４を視認することができる。
【００９１】
また、制御部３０６は、正転方向で再び基準位置へ移動させる際に、第２指針３０４を基準位置へ移動させた後に、第１指針３０２を基準位置へ移動させるように第１駆動部３０３および第２駆動部３０５を駆動することができる。
【００９２】
これによって、第１指針３０２および第２指針３０４のバックラッシュを除去することができるとともに、第２指針３０４が先に基準位置に戻ったときに、バックラッシュが除去された第２指針３０４によって、基準位置に対する第２指針３０４の位置ずれを確認することができる。
【００９３】
なお、上記実施の形態においては、腕時計（クロノグラフ）について説明した、この指針式表示装置には、腕時計、懐中時計、掛け時計、置き時計などのすべての種類の時計が含まれる。また、指針式表示機能を備えている、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家庭電化製品や自動車を含む電子機器であってもよい。
【産業上の利用可能性】
【００９４】
以上のように、本発明にかかる指針式表示装置は、クロノグラフなど多指針式の時計などにおいて有用であり、特に、バックラッシュが発生する指針式の表示機能を備える装置に適している。
【図面の簡単な説明】
【００９５】
【図１】この発明の実施の形態にかかる指針式表示装置の外観の一例を示す説明図である。
【図２】この発明の実施の形態にかかる指針式表示装置のハードウエア構成を示す説明図である。
【図３】この発明の実施の形態にかかる指針式表示装置の機能的構成を示す説明図である。
【図４】この発明の実施の形態にかかる指針式表示装置の動作の内容を示すフローチャート（その１）である。
【図５】この発明の実施の形態にかかる指針式表示装置の表示の内容を示す説明図（その１）である。
【図６】この発明の実施の形態にかかる指針式表示装置の表示の内容を示す説明図（その２）である。
【図７】この発明の実施の形態にかかる指針式表示装置の動作の内容を示すフローチャート（その２）である。
【図８】この発明の実施の形態にかかる指針式表示装置の動作の内容を示すフローチャート（その３）である。
【図９】この発明の実施の形態にかかる指針式表示装置の表示の内容を示す説明図（その３）である。
【図１０−１】この発明の実施の形態にかかる指針式表示装置の表示の内容を示す説明図（その４）である。
【図１０−２】この発明の実施の形態にかかる指針式表示装置の表示の内容を示す説明図（その５）である。
【図１０−３】この発明の実施の形態にかかる指針式表示装置の表示の内容を示す説明図（その６）である。
【図１１】この発明の実施の形態にかかる指針式表示装置の動作の内容を示すフローチャート（その４）である。
【図１２】この発明の実施の形態にかかる指針式表示装置の表示の内容を示す説明図（その７）である。
【図１３】この発明の実施の形態にかかる指針式表示装置の表示の内容を示す説明図（その８）である。
【図１４】この発明の実施の形態にかかる指針式表示装置の表示の内容を示す説明図（その９）である。
【符号の説明】
【００９６】
１００  指針式表示装置（本体）
１０１  分針
１０２  時針
１０３  秒針
１０４  ＵＴＣ計
１０５  ＵＴＣ分針
１０６  ＵＴＣ時針
１０７  ２４時間計
１０８  ２４時間針
１０９  充電・局選択表示計
１１０  充電・局選択針
１１１  モード表示部
１１２  モード針
１１３  第１液晶表示部（任意都市表示部）
１１４  第２液晶表示部（ホーム都市表示部）
１１５  りゅうず
１１６，１１７  操作ボタン
２００  マイコン
２０１  ＲＡＭ
２０２  ＲＯＭ
２０３  モータ駆動回路
２０４（２０４ａ〜２０４ｄ）  モータ
２０５（２０５ａ〜２０５ｄ）  輪列
２０６  基準信号発生部
２０７  カウンタ部
２０８  アンテナ
２１１  スイッチ部
２１３  ソーラセル
２１４  二次電池
２１６  液晶駆動回路
３０１  操作部
３０２  第１指針
３０３  第１駆動部
３０４  表示部（第２指針）
３０５  第２駆動部
３０６  制御部
３０７  駆動情報記憶部
３０８  第３指針
【図１】
2008209259.tif 000003
【図２】
2008209259.tif 000004
【図３】
2008209259.tif 000005
【図４】
2008209259.tif 000006
【図５】
2008209259.tif 000007
【図６】
2008209259.tif 000008
【図７】
2008209259.tif 000009
【図８】
2008209259.tif 000010
【図９】
2008209259.tif 000011
【図１０−１】
2008209259.tif 000012
【図１０−２】
2008209259.tif 000013
【図１０−３】
2008209259.tif 000014
【図１１】
2008209259.tif 000015
【図１２】
2008209259.tif 000016
【図１３】
2008209259.tif 000017
【図１４】
2008209259.tif 000018